【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
圧力測定システムであって、
前記圧力測定システムは、信号変換回路を備え、
前記信号変換回路は、圧力を表しスパンを有する電気信号を受け取るよう構成されたカプラと、信号を受け取り前記圧力を表す信号をバイアスするための圧力を発生させるよう構成された第１の非熱感受性の分圧器を有する信号バイアス器と、
前記カプラ及び前記信号バイアス器に結合される信号スパン調整器と、を有し、
前記信号スパン調整器は、前記圧力を表す信号を受け取るよう構成された第２の非熱感受性の分圧器を有し、
前記信号スパン調整器は、前記第２の分圧器からの出力に基づいて前記圧力を表す信号の前記スパンを調整するよう構成された
ことを特徴とする圧力測定システム。
【請求項２】
請求項１に記載の圧力測定システムにおいて、
前記圧力測定システムは、信号形式変換器をさらに備え、
前記信号形式変換器は、前記信号スパン調整器に結合され、前記圧力を表す信号の形式を別の形式に変換するよう構成された
ことを特徴とする圧力測定システム。
【請求項３】
請求項２に記載の圧力測定システムにおいて、
前記信号形式変換器は、電圧信号を電流信号に変換するよう構成された
ことを特徴とする圧力測定システム。
【請求項４】
請求項１に記載の圧力測定システムにおいて、
前記圧力測定システムは、電力低減器と、前記電力低減器に結合される電力調節器とをさらに備え、
前記電力低減器は、供給電力を低減するよう構成され、
前記電力調整器は、レギュレートした供給電力を生成するよう構成された
ことを特徴とする圧力測定システム。
【請求項５】
請求項４に記載の圧力測定システムにおいて、
前記電力調節器は、前記信号バイアス器及び前記信号スパン調整器に結合され、
前記レギュレートした供給電力が前記信号バイアス器及び前記信号スパン調整器に提供される
ことを特徴とする圧力測定システム。
【請求項６】
請求項４に記載の圧力測定システムにおいて、前記電力調節器は前記カプラに結合され、前記レギュレートした供給電力を前記回路の外部に伝達するよう構成された
ことを特徴とする圧力測定システム。
【請求項７】
請求項４に記載の圧力測定システムにおいて、
前記圧力測定システムは、第２カプラをさらに備え、
前記第２カプラは、前記電力低減器及び前記信号スパン調整器に結合され、前記供給電力を受け取ると共に前記変換済みの圧力を表す信号を伝達するよう構成された
ことを特徴とする圧力測定システム。
【請求項８】
請求項４に記載の圧力測定システムにおいて、
前記電力低減器は、電力を吸収するよう構成されたトランジスタを備える
ことを特徴とする圧力測定システム。
【請求項９】
請求項８に記載の圧力測定システムにおいて、
前記トランジスタは、前記電力調整器への入力が、前記レギュレートした供給電力を超え、所定の値以上になるまで、オン状態にバイアスされるよう構成された
ことを特徴とする圧力測定システム。
【請求項１０】
請求項１に記載の圧力測定システムにおいて、
前記非熱感受性の分圧器は、温度特性を揃えた抵抗分圧器を有する
ことを特徴とする圧力測定システム。
【請求項１１】
請求項１に記載の圧力測定システムにおいて、
前記信号バイアス器は、前記信号バイアス器が動作中に印加する前記バイアスを変更するよう構成された
ことを特徴とする圧力測定システム。
【請求項１２】
請求項１に記載の圧力測定システムにおいて、
前記信号スパン調整器は、前記信号スパン調整器が動作中に加える信号スパン調整を変更するよう構成された
ことを特徴とする圧力測定システム。
【請求項１３】
請求項１２に記載の圧力測定システムにおいて、
前記信号スパン調整器は、動作の第１のモードでは増幅器として、動作の第２のモードでは差動増幅器として動作するよう構成された
ことを特徴とする圧力測定システム。
【請求項１４】
圧力測定方法であって、
圧力を表しスパンを有する電気信号をカプラにて受け取り、
第１の温度感度が小さい分圧器を使用して前記圧力を表す信号をバイアスし、
前記圧力を表す信号を第２の温度感度が小さい分圧器に送信し、
前記第２の分圧器からの出力を使用して前記圧力を表す信号のスパンを調整し、
前記変換済みの圧力を表す信号を伝達する
ことを特徴とする圧力測定方法。
【請求項１５】
請求項１４に記載の圧力測定方法において、
前記圧力測定方法は、前記圧力を表す信号の形式を別の形式に変換する
ことをさらに特徴とする圧力測定方法。
【請求項１６】
請求項１４に記載の圧力測定方法において、
前記圧力測定方法は、
供給電力を受け取り、
前記供給電力を低減し、
前記低減された供給電力に基づいてレギュレートした供給電力を生成する
ことをさらに特徴とする圧力測定方法。
【請求項１７】
請求項１６に記載の圧力測定方法において、
前記供給電力を低減することは、前記レギュレートした供給電力を生成する電力調節器への入力が前記レギュレートした供給電力に所定の値を下回るまで、電力吸収トランジスタをバイアスすることを含む
ことを特徴とする圧力測定方法。
【請求項１８】
請求項１４に記載の圧力測定方法において、
温度感度が小さい分圧器を使用して前記圧力を表す信号をバイアスすることは、温度特性を揃えた抵抗分圧器を使用することを含む
ことを特徴とする圧力測定方法。
【請求項１９】
請求項１４に記載の圧力測定方法において、
前記圧力測定方法は、前記印加された信号バイアスを選択的に変化させる
ことをさらに特徴とする圧力測定方法。
【請求項２０】
請求項１４に記載の圧力測定方法において、
前記圧力測定方法は、
前記加えられた信号スパン調整を選択的に変化させる
ことを特徴とする圧力測定方法。
【請求項２１】
請求項２０に記載の圧力測定方法において、
前記信号スパンを調整することは、動作の第１のモードでは増幅器によって、動作の第２のモードでは差動増幅器によって達成される
ことを特徴とする圧力測定方法。
【請求項２２】
請求項１に記載の圧力測定システムにおいて、
前記信号バイアス器が、前記信号スパン調整器の基準電圧を生成する
ことを特徴とする圧力測定システム。
【請求項２３】
請求項１４に記載の圧力測定方法において、
前記第１の分圧器の出力に基づいて前記信号スパン調整用の基準電圧を生成する
ことを特徴とする圧力測定方法。
【手続補正２】
【補正対象書類名】明細書
【補正対象項目名】００１３
【補正方法】変更
【補正の内容】
【００１３】
システムはまた、第２カプラと、信号バイアス器と、信号スパン調整器と、信号形式変換器とを備える。第２カプラは、電力調節器に結合して、レギュレート した供給電力を受け取る。第２カプラは、レギュレートした供給電力を回路の外部に伝達し、圧力を表す信号を受け取るように動作可能である。
信号バイアス器は、電力調節器に結合して、レギュレートした供給電力を受け取り、圧力を表す信号をバイアスすることを容易にする温度特性が揃った抵抗分圧器を備える。前記信号バイアス器は、例えば分圧器の出力に基づいて、前記信号スパン調整器の基準電圧を生成する。信号バイアス器はまた、印加されたバイアスを変更するように動作可能である。信号スパン調整器は、圧力を表す信号を受け取るために、第２カプラに結合し、レギュレートした供給電力を受け取るために、電力調節器に結合し、また、信号バイアス器に結合する。